(57)【要約】      （修正有）【課題】急速な収縮動作と、操作の容易性及ぴ低製作コストの組合せを達成する制御バルブを提供する。【解決手段】生理的物体を収容したバッグを加圧する装置及び方法は、バッグを押圧する圧力変形体６の収縮動作を行う制御バルブ１２を含む。制御バルブ１２のトグル部材は圧力変形体６の膨張及び収縮のために第１及び第２位置の間で移動可能である。トグル部材が第１位置にあるとき、制御バルブ１２は加圧空気供給源を圧力変形体６に接続する。トグル部材が第２位置にあるとき、制御バルブ１２は圧力変形体６がバルブ１２内の出口側ポートを介して空気を大気に直接放出することを許容する。出口側ポートの寸法は大きくなっており、放出される空気に対して、極めてわずかな抵抗のみを発生させる。【選択図】図１
2008068111.tif 000002
【特許請求の範囲】
【請求項１】
膨張可能な圧力変形体と、生理的流体を収容した可携性バッグを前記圧力変形体に接触させる状態に支持する手段と、加圧流体供給源とを有し、前記生理的流体を収容した可携性バッグを加圧する装置において、第１の横断面積を有する入口部を介して前記加圧流体供給源に接続されるとともに第２の横断面積を有する出口部を介して前記圧力変形体に接続された制御バルブと、前記圧力変形体を膨張させるために前記入口部を出口部に接続するとともに前記圧力変形体を収縮させるために前記出口部を大気圧に開放する手段とを備え、前記第２の横断面積が圧力変形体の収縮動作の間に無視し得る以外の圧力降下を発生させないことを特徴とする装置。
【請求項２】
前記制御バルブは、前記出口部を有する本体と、前記入口部を有するトグル部材とを有し、前記トグル部材は前記入口部が前記出口部と流体の流通を行なう第１位置と前記出口部が大気圧に開放される第２位置との間で移動可能に前記本体に設けられてなる請求項１に記載の装置。
【請求項３】
前記制御バルブは前記本体に枢動可能に連結されてなる請求項２に記載の装置。
【発明の詳細な説明】
【技術分野】
【０００１】
本発明は輸注ポンプに係り、特に、加圧流体により膨張、収縮の動作を果たすブラダ（ｂｌａｄｄｅｒ）と称される輸注用の弾性隔膜をなす圧力変形体の急速な収縮動作を可能とした装置に係り、特に膨張可能な圧力変形体と、生理的流体を収容した可携性バッグを前記圧力変形体に接触させる状態に支持する手段と、加圧流体供給源とを有し、生理的流体を収容した可携性バッグを加圧する装置に関する。
【背景技術】
【０００２】
患者に対して静脈内流体を供給するために、輸注装置が用いられることは、よく知られている。同様に、これら静脈内流体を加圧してその流速を上げることも知られている。圧力の付与は種々の方法により行なわれ、その１つは該流体を収容した可携性バッグを膨張可能なブラダないし圧力変形体に係合させることである。圧力変形体は、制御バルブを介して接続されたコンプレヅサ又は他の圧力ガス供給源からの空気によって膨らむ、すなわち膨張状態となる。
【０００３】
又、知られていることは、圧力変形体からの空気抜き、すなわち収縮動作は制御バルブによって可能とされることであり、該制御バルブは圧力変形体を大気圧に開放する位置に切換えられる。これは例えば・米国特許第３，６４０，２７６号及び第４，４３０，０７８号に開示されている。更に知られていることは、ベンチュリ管によって圧力変形体の急速な収縮動作が与えられることであり、該ベンチュリ管は圧力変形体から空気をポンプ作用で送り出す低圧を形成する。
【発明の開示】
【発明が解決しようとする課題】
【０００４】
従来の制御バルブの解決すべき課題は、急速な収縮動作と、操作の容易性及ぴ低製作コストの組合せを達成することであった。
【課題を解決するための手段及び発明の効果】
【０００５】
上記課題を達成するために、本発明における加圧輸注装置は、生理的流体を収容した可携性バッグと係合する膨張可能な、ブラダと称される圧力変形体と、空気を圧力状態で供給するポンプと、該圧力変形体への加圧空気の供給及び該圧力変形体からの空気の急速な放出の制御を行なうバルブとを備える。
特に、本発明は、膨張可能な圧力変形体と、生理的流体を収容した可携性バッグを前記圧力変形体に接触させる状態に支持する手段と、加圧流体供給源とを有し、前記生理的流体を収容した可携性バッグを加圧する装置において、第１の横断面積を有する入口部を介して前記加圧流体供給源に接続されるとともに第２の横断面積を有する出口部を介して前記圧力変形体に接続された制御バルブと、前記圧力変形体を膨張させるために前記入口部を出口部に接続するとともに前記圧力変形体を収縮させるために前記出口部を大気圧に開放する手段とを備え、前記第２の横断面積が圧力変形体の収縮動作の間に無視し得る以外の圧力降下を発生させないことを特徴とする装置を提案する。
又、本発明においては、上記構成において、前記制御バルブが前記出口部を有する本体と、前記入口部を有するトグル部材とを有し、前記トグル部材は前記入口部が前記出口部と流体の流通を行なう第１位置と前記出口部が大気圧に開放される第２位置との間で移動可能に前記本体に設けられてなる構成の装置も提案される。
更に、本発明においては、上記構成において、前記制御バルブが前記本体に枢動可能に連結されてなる構成の装置も提案される。
【０００６】
本発明の特徴の１つは、制御バルブの出口部を圧力変形体に接続する大口径の供給チューブを用いることである。このチューブの径は圧力変形体に空気を供給するに必要なものよりも大であり、制御バルブが該チユーブを介して圧力変形体の収縮動作をも可能とするので大きく作られる。拡大した口径のチューブにより圧力変形体の収縮動作を別途の助力なしに極めて急速に行なうことが可能である。このために、本発明の制御バルブは、加圧ポンプからの空気を受入れる入口部と、空気を圧力状態で圧力変形体に送り込む出口部と、圧力変形体からの空気の急速な放出、すなわちデイスチャージを許容するデイスチャージポートとを備える。好ましい本発明の具体的構成において、制御バルブはドッキングポートと出口側ポートとを有する本体を備える。該本体はこれら２つのポート間で枢動運動をなすように設けられたトグル部材を受入れている。トグル部材は入口側ポートと、該トグル部材が圧力変形体を膨張させる膨張位置又は収縮させる収縮位置の、その位置状態に応じてドッキングポート又は出口側ポートと連通するチャンネルとを有する。
【０００７】
トグル部材が膨張位置にあるとき、チャンネルは出口側ポートに連通しており、加圧空気は大口径の出口側ポートを介して圧力変形体に供給される。他方、トグル部材が収縮位置にあるとき、チャンネルはドッキングポートに連通し、出口側ポートは大気に開放される。従って、収縮位置において、圧力変形体内の空気は大気側ヘデイスチャージされ、これにより、流体収容バッグには容易に流体が満たされる。
【０００８】
本発明に係る方法において、当該方法は、生理的流体を収容した可携性バッグを加圧することに関連して膨張可能な圧力変形体を膨張、収縮させる方法であり、まず第1の横断面積を有する入口側チャンネルを介し、次いで、膨張可能な圧力変形体と連通する供給チューブを介して膨張可能な圧力変形体に加圧流体を導入することにより膨張可能な圧力変形体を膨張させる。そして、該圧力変形体は、まず供給チューブを介して加圧流体を解放させるために入口側チャンネルをバイパスし、次いで、該入口側チャンネルの第1の横断面積よりも大きい第2の横断面積を有するとともに該入口側チャンネルのバイパスによって解放された出口部を介して加圧流体を解放させることにより収縮させられる。
【０００９】
本発明の制御バルブは、入口側ポートが出口側ポートに比して相当に小さく設定してある点で独特の構成となっている。同様に、入口部に空気ポンプを接続するチューブは制御バルブを圧力変形体に接続する供給チューブよりもはるかに小さい構成である。
【００１０】
本発明の装置においては、トグル部材にオペレータが容易にアクセスできるように制御バルブが装置のべ一ス上に設けられる構成が望ましい。この設けられる位置は、オペレータがドアを開閉して流体収容バッグを交換する一一方で、膨張位置と収縮位置との間でトグル部材を容易に移動操作できるような位置に設定される。
【００１１】
以下、図面を参照して本発明の実施形態を説明する。
【発明を実施するための最良の形態】
【００１２】
図１において、本発明に係る装置はハウジング２を有し、これに対してドア４が枢動可能に設けられている。ハウジング２は取付部品７により取付固定されている。ブラダ（ｂｌａｄｄｅｒ）と称される弾性隔膜をなす圧力変形体６はハウジング２の前壁８に形成された凹所に取付けられており、この圧力変形体６とドア４との間に保持された生理的流体を収容する可携性バヅグ（図示せず）と係合するようになっている。生理的流体は、輸注技術において知られた態様で患者に接続されている。圧力変形体６が膨張すると、後壁と可擁性バッグの間の容積が減少するので、圧力がバッグ内の生理的流体に付与され、加圧状態で流体の輸注が行なわれる。
【００１３】
圧力変形体６は、入口側チューブ１０を介してポンプ（図示せず）から供給される空気によって膨らむ、すなわち膨張状態となる。入口側チューブ１０は以下に詳述する制御バルブ１２の入口部に接続されている。制御バルブ１２の出口部は大口径の供給チューブ１４に接続され、この供給チューブ１４は圧力変形体６に接続されている。圧力モニターゲージ１６も圧力変形体６に接続され、これによりオペレータが圧力変形体６内の圧力をモニターすることができる。制御バルブ１２は取付アセンブリ部品１３によって取付固定されている。
【００１４】
図２において、制御バルブ１２は、バルブ本体１８とカバー２０とを有し、該カバー２０は、トグル部材２２を収容する空洞部を形成している。図３ａ〜３ｄにも示すように、トグル部材２２には、入口部３２と接続チャンネル３４之が設けられ、ハウジング２の外方に延出した操作レバ・一の部分を一体に有する。本体１８にはドッキングポート２４が設けられ、これは盲穴状のデヅドエンド凹所で構成されるのが望ましく・該凹所は該トグル部材２２がドッキングポート２４に対応した第２位置をなす格納位置ないしドッキング位置にあるとき、本体１８の床面に対して該トグル部材２２をシールするオーリング２６を収納している。本体１８は出口側ポート２８と第２のオーリング３０とを有し、第２のオーリング３０はトグル部材２２が出口側ポート２８に対応した第１位置にあるとき、出口側ポート２８に対してトグル部材２２をシールする。
【００１５】
図３ａ〜３ｄに示すように、トグル部材２２は入口部３２を有し、該入口部３２はチャンネル３４の一部を構成する。入口側チューブ１０は、ポンプ又は他の加圧空気供給源から延出して図１に示すように入口部３２に取付けられている。チャンネル３４は、トグル部材２２が第２位置にあるとき、加圧流体をデッドエンド・ドッキングポート２４に対応させてバイパスさせるとともに、該トグル部材２２が第１位置にあるとき、出口側ポート２８に加圧流体を連通させる。トグル部材２２は図２に示すピン２９のまわりで枢動回転する。このピン２９に係合する支持孔３１は図３ｂに示されている。
【００１６】
図２において、カバー２０は出口側ポート２８と整合した開口３６を有する。トグル部材２２が第２位置にバイパスされた状態にあって、出口側ポート２８をカバーしないとき、本体１８の床面とカバー２０との間において出口側ポート２８上方に殆ど開いたスペースが存在する。
【００１７】
上記本発明の装置は、以下のように動作する。すなわち、圧力変形体６を膨張させるべきとき、オペレータがトグル部材２２を出口側ポート２８をカバーする第１位置に移動させる。これにより、加圧空気の供給源からの空気がチャンネル３４、供給チューブ１４を通して流れ、圧力変形体６へと流入する。オペレータが流体収容バッグを交換したい場合に、トグル部材２２がドッキングポート２４をカバーする第２位置にまで動かされる。これにより、２つのことが遂行される。
【００１８】
まず、第１の、第２位置であるドッキング位置へのトグル部材２２の移動により、空気がポンプから閉塞されたデッドエンドにバイパスされて向けられるので、圧力が上昇し、これに伴ってポンプを自動的に停止させる。第２に、特に重要なことは、供給チューブ１４が大気に開放される。これによって、圧力変形体６からは空気が急速に放出、すなわちデイスチャージされる。
【００１９】
好ましい実施形態において、供給チューブ１４の寸法は、デイスチャージ状態にあるときに圧力変形体６と大気圧との間の圧力降下は殆ど無視できるように設定される。換言すれぱ、圧力変形体６は大気圧と均衡する圧力を殆ど瞬間的に得ることができる。従って、空気の放出、すなわちデイスチャージ動作において他の助力を何等要しない。又、好ましい実施形態において、供給チューブ１４の横断面積を規定する内径は、流体収容バッグとしての血液収容バッグに用いられる通常の圧力変形体からの空気の適切な放出を得るために、少なくとも０．３７５インチ（９．５２５皿皿）に設定される。外径は１０．５インチ（１２．７０皿皿）又はそれより大とすることができる。入口側チューブ１０の内径は、約０．１２５インチ（３．１７５皿皿）で、外径は０．２５０インチ（６．３５皿ｍ）とするのが望ましい。
【００２０】
以上に、本発明の実施形態を説明したが、本発明は特許請求の範囲に記載の範囲内において種々の変形例をも含み得ることは当業者において自明のことである。
【図面の簡単な説明】
【００２１】
【図１】本発明に係る輸注装置の分解斜視図である。
【図２】本発明に係る制御バルブの分解斜視図である。
【図３ａ】図２に示す制御バルブのトグル部材の正面図である。
【図３ｂ】図２に示す制御バルブのトグル部材の側面図である。
【図３ｃ】図２に示す制御バルブのトグル部材の背面図である。
【図３ｄ】図３ａに示すトグル部材の３ｄ−３ｄ線に沿う断面図である。
【符号の説明】
【００２２】
２  ハウジング
６  圧力変形体
１０  入口側チューブ
１２  制御バルブ
１４  供給バルブ
１８  バルブ本体
２２  トグル部材
２８  出口側ポート
３２  入口部
３４  チャンネル
【図１】
2008068111.tif 000003
【図２】
2008068111.tif 000004
【図３ａ】
2008068111.tif 000005
【図３ｂ】
2008068111.tif 000006
【図３ｃ】
2008068111.tif 000007
【図３ｄ】
2008068111.tif 000008